(57)【要約】【課題】  二重床の遮音性能を悪化させることなく、床勝ち納まりで二重床に間仕切壁を固定させることのできる二重床上間仕切壁の固定構造を提供する。【解決手段】  この二重床上間仕切壁の固定構造は、二重床１０の上部床１２上に間仕切壁１４を固定する構造であり、複数の束状支持脚１と、ランナー２と、横荷重伝達・上方付勢部材３とを備える。束状支持脚１は、間仕切壁１４の下方で壁幅方向に並び、それぞれ上部床１２を貫通して下端が下部床１１に固定された部材である。ランナー２は、複数の束状支持脚１に被さって配置され間仕切壁１４を上面に載せて固定する部材である。横荷重伝達・上方付勢部材３は、ランナー２内で上部床１２に取付けられる。この横荷重伝達・上方付勢部材３は、ランナー２に作用する横荷重を上部床１２に伝達可能で、かつランナー２を上方に付勢する弾性を有する部材であり、例えば壁幅方向に延びる板ばねとされる。【選択図】      図１
2005171695.tif 000002
【特許請求の範囲】
【請求項１】
下部床および上部床を有する二重床の前記上部床上に間仕切壁を固定する構造であって、間仕切壁の下方で壁幅方向に並び、それぞれ上部床を貫通して下端が下部床に固定された複数の束状支持脚と、これら複数の束状支持脚に被さって配置され間仕切壁を上面に載せて固定するランナーと、このランナー内で上部床に取付けられてランナーに作用する横荷重を上部床に伝達可能でありかつランナーを上方に付勢する弾性を有する横荷重伝達・上方付勢部材とを備えた二重床上間仕切壁の固定構造。
【請求項２】
請求項１において、前記横荷重伝達・上方付勢部材が、壁幅方向に延びる板ばねである二重床上間仕切壁の固定構造。
【請求項３】
下部床および上部床を有する二重床の前記上部床上に間仕切壁を固定する構造であって、前記間仕切壁の下端面に設けられて壁幅方向に延びる下端溝と、この下端溝内で壁幅方向に並び、それぞれ上部床を貫通して下端が下部床に固定され前記間仕切壁を上面に載せる複数の束状支持脚と、前記下端溝内で上部床に取付けられて前記間仕切壁に作用する横荷重を上部床に伝達可能でありかつ間仕切壁を上方に付勢する弾性を有する横荷重伝達・上方付勢部材とを備えた二重床上間仕切壁の固定構造。
【発明の詳細な説明】
【技術分野】
【０００１】
この発明は、床衝撃音を改善する浮き床や乾式遮音二重床等の二重床上に、その遮音効果を損なうことなく間仕切壁を設置する二重床上間仕切壁の固定構造に関する。
【背景技術】
【０００２】
建物における上下階間の床の遮音性能を発揮させる手法、特に重量床衝撃音を低減するための手法として、浮き床や乾式二重床が用いられている。これらの床構造は、その緩衝性（柔らかさ）によって衝撃を吸収し、特に、重量床衝撃音に対して効果を発揮する。これらの床構造の柔らかさは床変位を伴うので、他の部材によってその変位（緩衝性）が拘束されると上記効果を発揮できず、かえって遮音性能を悪化させることすらある。そのため、これらの床構造と組み合わせる間仕切壁などの設置には、非常な注意を払う必要がある。
【０００３】
一般に壁と床の納まりには、床勝ちと壁勝ちがある。図９は壁勝ち納まりで乾式二重床２０に間仕切壁２１を立てた施工例の断面図を示し、図１０は床勝ち納まりで乾式二重床２０に間仕切壁２１を立てた施工例の断面図を示す。
【０００４】
通常の間仕切壁の場合、目的に応じて床勝ちと壁勝ちとに分けられるが、施工方法の観点からいえば、単純に床勝ち納まりの方が施工性・経済性ともに勝る。すなわち、壁勝ち納まりの場合、天井や床部材の加工の手間が増えるので、施工性・経済性とも劣るためである。
しかし、浮き床や乾式二重床に間仕切壁を立てる場合、これらの床への間仕切壁の固定が床の緩衝性を損なうため、やむなく壁勝ち納まりとするか、間仕切壁を天井から吊すなどの工夫が必要になる。
【発明の開示】
【発明が解決しようとする課題】
【０００５】
図９のように壁勝ち納まりで乾式二重床２０に間仕切壁２１を立てるのでは、上述したように施工性が悪く、ましてリフォーム等で壁位置を移動する場合などでは、床のやり替えも必要となり、大がかりな工事となってしまう。
また、間仕切壁を天井から吊すには、天井の強度が必要であり、天井に架かる重量にばらつきが生じるため、過度の強度が必要になったり、間仕切壁の下端の面外方向強度が確保できないなどの問題がある。現実的に天井先張り工法でビスを主体として間仕切壁を吊すには無理がある。
【０００６】
この発明の目的は、二重床の遮音性能を悪化させることなく、床勝ち納まりで二重床に間仕切壁を固定することのできる施工性に優れた二重床上間仕切壁の固定構造を提供することである。
【課題を解決するための手段】
【０００７】
この発明における第１の発明の二重床間仕切壁の固定構造は、下部床および上部床を有する二重床の前記上部床上に間仕切壁を固定する構造であって、間仕切壁の下方で壁幅方向に並び、それぞれ上部床を貫通して下端が下部床に固定された複数の束状支持脚と、これら複数の束状支持脚に被さって配置され間仕切壁を上面に載せて固定するランナーと、このランナー内で上部床に取付けられてランナーに作用する横荷重を上部床に伝達可能でありかつランナーを上方に付勢する弾性を有する横荷重伝達・上方付勢部材とを備える。なお、この発明で言う「二重床」は、浮き床を含む意味である。
この構成によると、間仕切壁の鉛直荷重は束状支持脚を介して二重床の下部床で支えられる。間仕切壁に作用する水平方向等の面外方向の荷重、例えば人が押したりする力は、ランナー、および横荷重伝達・上方付勢部材を介して上部床に伝わり、上部床により支えられる。横荷重伝達・上方付勢部材は、ランナーを上方に付勢する弾性を有する部材であるため、上部床の床面の衝撃時の上下変位は、横荷重伝達・上方付勢部材によって損なわれずに済む。また、ランナーを設けて複数の横荷重伝達・上方付勢部材を結んだため、間仕切壁の面外方向への抵抗が増す。
このように、間仕切壁を鉛直に支えながら、上部床の変位を拘束せず、間仕切壁の面外方向固定度を確保することができる。これにより、二重床の遮音性能を悪化させることなく、床勝ち納まりで二重床に間仕切壁を固定することができる。さらに、このように床勝ち納まりで二重床に間仕切壁を立てることにより、施工性・経済性にも優れたものとできる。
【０００８】
前記横荷重伝達・上方付勢部材は、壁幅方向に延びる板ばねであっても良い。壁幅方向に延びる板ばねであると、上下方向には撓み易いが、間仕切壁の面外方向には変形を生じ難い。そのため、単独の部材で横荷重を伝達する機能と、ランナーを上方に付勢する機能とが得られ、簡素な構成の固定構造とできる。
【０００９】
この発明における第２の発明の二重床上間仕切壁の固定構造は、下部床および上部床を有する二重床の前記上部床上に間仕切壁を固定する構造であって、前記間仕切壁の下端面に設けられて壁幅方向に延びる下端溝と、この下端溝内で壁幅方向に並び、それぞれ上部床を貫通して下端が下部床に固定され前記間仕切壁を上面に載せる複数の束状支持脚と、前記下端溝内で上部床に取付けられて前記間仕切壁に作用する横荷重を上部床に伝達可能でありかつ間仕切壁を上方に付勢する弾性を有する横荷重伝達・上方付勢部材とを備えたものである。前記間仕切壁の下端溝は、例えば、間仕切壁における両側の面材と下端の横枠材との間に形成されたものであっても、また下端の横枠材自体に設けられたものであっても良い。
この構成の場合、第１の発明に比べてランナーが省略されているが、間仕切壁の下端溝に束状支持脚および横荷重伝達・上方付勢部材が嵌まっていることで、第１の発明と同様に、これら束状支持脚および横荷重伝達・上方付勢部材が機能し、二重床の遮音性能を悪化させることなく、床勝ち納まりで二重床に間仕切壁を固定することができる。また、施工性に優れたものとなる。
【発明の効果】
【００１０】
この発明における第１の発明の二重床間仕切壁の固定構造は、下部床および上部床を有する二重床の前記上部床上に間仕切壁を固定する構造であって、間仕切壁の下方で壁幅方向に並び、それぞれ上部床を貫通して下端が下部床に固定された複数の束状支持脚と、これら複数の束状支持脚に被さって配置され間仕切壁を上面に載せて固定するランナーと、このランナー内で上部床に取付けられてランナーに作用する横荷重を上部床に伝達可能でありかつランナーを上方に付勢する弾性を有する横荷重伝達・上方付勢部材とを備えたものとしたため、二重床の遮音性能を悪化させることなく、床勝ち納まりで二重床に間仕切壁を固定することができ、施工性、経済性にも優れたものとなる。
前記横荷重伝達・上方付勢部材が壁幅方向に延びる板ばねである場合は、その弾性変形性の方向性によって、上部床の変位を拘束せずに、間仕切壁の面外方向固定度が確保できて、単独の部材で横荷重伝達・上方付勢部材としての機能が得られ、簡素な構成の固定構造とできる。
【００１１】
この発明における第２の発明の二重床上間仕切壁の固定構造は、下部床および上部床を有する二重床の前記上部床上に間仕切壁を固定する構造であって、前記間仕切壁の下端面に設けられて壁幅方向に延びる下端溝と、この下端溝内で壁幅方向に並び、それぞれ上部床を貫通して下端が下部床に固定され前記間仕切壁を上面に載せる複数の束状支持脚と、前記下端溝内で上部床に取付けられて前記間仕切壁に作用する横荷重を上部床に伝達可能でありかつ間仕切壁を上方に付勢する弾性を有する横荷重伝達・上方付勢部材とを備えたのであるため、二重床の遮音性能を悪化させることなく、床勝ち納まりで二重床に間仕切壁を固定することができ、施工性、経済性にも優れたものとなる。
【発明を実施するための最良の形態】
【００１２】
この発明の一実施形態を図１ないし図５と共に説明する。この実施形態の二重床間仕切壁の固定構造は、図１に示すように下部床１１および上部床１２を有する二重床１０の前記上部床１２上に間仕切壁１４を固定するものであり、複数の束状支持脚１と、ランナー２と、横荷重伝達・上方付勢部材３とを備える。
二重床１０は、下部床１１の上にゴム等からなる複数の支持脚１３を介して上部床１２を支持した構造のものである。複数の支持脚１３は点在させてある。下部床１１は、現場打ちのコンクリートスラブであっても、コンクリート版または軽量コンクリート版等の床版を敷き並べたものであっても良い。
【００１３】
上記束状支持脚１は、複数本が間仕切壁１４の下方で壁幅方向に並んで配置され、それぞれ上部床１２を貫通して下端が下部床１１に固定される。この束状支持脚１は、例えば図２に示すように、板片等の頭部材４と、この頭部材４に対して垂直に固定したビス状部材５とによって構成される。ビス状部材５は、例えばコンクリートにねじ込み可能なねじ釘状のものが用いられる。
上記ランナー２は、複数の束状支持脚１に被さって配置されて、間仕切壁１４を上面に載せて固定する部材である。ランナー２は、例えば図５（Ｄ）に示すように溝型鋼からなり、そのフランジ２ａが下向きとなる姿勢で配置される。
【００１４】
上記横荷重伝達・上方付勢部材３は、ランナー２内で上部床１２上に固定されてランナー２に作用する横荷重を上部床１２に伝達可能でありかつランナー２を上方に付勢する弾性を有する部材である。この横荷重伝達・上方付勢部材３は、例えば図３に示すように、固定面部３ａの両側に一対の壁接触面部３ｂ，３ｂを有する短冊状の板ばねとされる。壁接触面部３ｂは、固定面部３ａに対して上方に浮き上がるように湾曲または屈曲させてあり、この壁接触面部３ｂ，３ｂがばね部となる。横荷重伝達・上方付勢部材３の固定面部３ａはビス挿通孔６を有し、このビス挿通孔６を介して上部床１２上に固定面部３ａをビス７（図５（Ｃ））で締結することにより、横荷重伝達・上方付勢部材３が上部床１２上に固定される。この板ばねからなる横荷重伝達・上方付勢部材３は、壁幅方向に延びるように上部床１２に固定される。
【００１５】
図４に示すように、ランナー２の幅寸法（両フランジ２ａ，２ａ間の寸法）Ｗは、横荷重伝達・上方付勢部材３の幅寸法より若干大きくされており、これによりランナー２が横荷重伝達・上方付勢部材３に被さることができるようにされている。ランナー２の上面に載せられる間仕切壁１４は、その下端の横枠材８（図４）をビス９でランナー２に締結することによりランナー２の上面に固定される。ランナー２の高さ寸法（フランジ２ａの高さ寸法）Ｈは、前記ビス９が上部床１２まで届かない大きさとされている。
【００１６】
次に、この固定構造により、二重床１０の上に間仕切壁１４を固定する手順を、図５を参照して説明する。先ず、二重床１０を先行して施工し、この二重床１０の上部床１２上に図５（Ａ）のように、間仕切壁１４のラインＬを墨出しする。そのラインＬ上にドリル１５等を用いて、束状支持脚１を挿入するための孔１６を所定の間隔（例えば４５５ｍｍピッチ）で明ける。
これらの孔１６に束状支持脚１のビス５を図５（Ｂ）のように挿入して、束状支持脚１を下部床１１に固定する。また、同じラインＬ上の別の位置、または束状支持脚１と略同じ位置に、図５（Ｃ）のようにビス７で前記横荷重伝達・上方付勢部材３を固定する。ついで、これら束状支持脚１と横荷重伝達・上方付勢部材３の上に図５（Ｄ）のように前記ランナー２を被せる。
【００１７】
これにより、上部床１２のラインＬ上に、横荷重伝達・上方付勢部材３で浮き上がり状に支持されてランナー２が配置される。このランナー２の上面に間仕切壁１４の下端を載せ、間仕切壁１４の下端の横枠材８を図４のようにビス９でランナー２に締結することで、間仕切壁１４をランナー２の上面に固定する。間仕切壁１４の外面下端には、図１のように幅木１７を張り付ける。
【００１８】
上記構成の間仕切壁の固定構造とすることにより、間仕切壁１４の鉛直荷重は束状支持脚１を介して二重床１０の下部床１１で支えられる。間仕切壁１４に作用する水平方向等の面外方向の荷重、例えば人が押したりする力は、ランナー２、および横荷重伝達・上方付勢部材３を介して上部床１２に伝わり、上部床１２により支えられる。
横荷重伝達・上方付勢部材３は、板ばねであるため、その幅方向ａ（図３）には剛性が高く、上下方向には撓み易い。そのため、この板ばねからなる横荷重伝達・上方付勢部材３を壁幅方向に延びるように取付けることで、間仕切壁１４の下端の面外方向強度が確保され、また上部床１２の衝撃時の上下変位は、この板ばねからなる横荷重伝達・上方付勢部材３によって損なわれずに済む。
また、ランナー２を設けて複数の横荷重伝達・上方付勢部材３を結んだため、間仕切壁１４の面外方向への抵抗が増す。
【００１９】
このように、間仕切壁１４を鉛直に支えながら、上部床１２の変位を拘束せず、間仕切壁１４の面外方向固定度を確保することができる。これにより、二重床の遮音性能を悪化させることなく、床勝ち納まりで二重床に間仕切壁を固定することができる。さらに、このように床勝ち納まりで二重床に間仕切壁を立てることにより、施工性・経済性にも優れたものとできる。
【００２０】
なお、上記板ばねからなる横荷重伝達・上方付勢部材３は、図６に示すように、ランナー２に一体に固定しておいても良い。その場合、ランナー２にビス挿通孔１８等を設け、横荷重伝達・上方付勢部材３を上部床１２へ上方からビス固定できるようにしておく。
【００２１】
また、横荷重伝達・上方付勢部材３は、ランナー２に作用する横荷重を上部床１２に伝達可能で、かつランナー２を上方に付勢する弾性を有する部材であれば良く、図示は省略するが、例えば横荷重を伝達する部材と、その部材に取付けられてランナーを上方に付勢する弾性部材とを組み合わせた部材等で構成しても良い。具体的には、上向き溝形の横荷重伝達用の部材と、その内部に上部突出状態に嵌め込まれてランナーを上方に付勢するゴム部材等で構成しても良い。
しかし、横荷重伝達・上方付勢部材３が板ばねであると、その弾性変形性の方向性のため、単独の部材で横荷重を伝達する機能と、ランナーを上方に付勢する機能とが得られ、簡素な構成の固定構造とできる。
【００２２】
なお、上記各実施形態では、束状支持脚１と横荷重伝達・上方付勢部材３とを個別に設け、互いに壁幅方向に離して配置したが、これら束状支持脚１と横荷重伝達・上方付勢部材３とは、例えば図７に示すように、互いに一体の支持脚兼横荷重伝達・上方付勢部材１９としても良い。
【００２３】
図７の支持脚兼横荷重伝達・上方付勢部材１９は、板片等の頭部材４と、この頭部材４に対して垂直に固定したビス状部材５とからなる束状支持脚１に、短冊状の板ばねからなる横荷重伝達・上方付勢部材３を取付けたものである。この板ばねからなる横荷重伝達・上方付勢部材３は、頭部材４の下面に設けられて両端が斜め下方に延び、両端にビス挿通孔６が設けられている。この支持脚兼横荷重伝達・上方付勢部材１９は、束状支持脚１の下端を上記各実施形態と同様に下部床１１に固定し、横荷重伝達・上方付勢部材３の両端を、ビス挿通孔６に挿通したビス（図示せず）で上部床１２に固定する。
【００２４】
支持脚兼横荷重伝達・上方付勢部材１９は、上記各実施形態における個別に設けた束状支持脚１および横荷重伝達・上方付勢部材３と同様に、ランナー２内で壁幅方向に並べて設ける。
【００２５】
図８は、この発明のさらに他の実施形態を示す。この実施形態は、図１に示す第１の実施形態において、ランナー２を省略し、かつ束状支持脚１および横荷重伝達・上方付勢部材３として、図７に示す支持脚兼横荷重伝達・上方付勢部材１９を用いたものである。
【００２６】
この実施形態では、間仕切壁１４の下端面に設けられて幅方向に延びる下端溝１４ａ内に、束状支持脚１の頭部材４が直接に嵌まり、その上面で間仕切壁１４の鉛直荷重を受ける。また、横荷重伝達・上方付勢部材３も、間仕切壁１４の下端溝１４ａ内に直接に嵌まり、間仕切壁１４に作用する横荷重を上部床１２に伝達し、かつ間仕切壁１４を上方に付勢する。
【００２７】
この構成の場合、図１の実施形態におけるランナー２による複数の横荷重伝達・上方付勢部材３の連結機能は有しないが、その他の横荷重伝達・上方付勢部材３および束状支持脚１の機能は第１の実施形態と同様に得られる。そのため、二重床の遮音性能を悪化させることなく、床勝ち納まりで二重床に間仕切壁１４を固定することができ、施工性にも優れたものとなる。
【００２８】
なお、図８の実施形態においても、第１の実施形態に示した互いに分離した束状支持脚１および横荷重伝達・上方付勢部材３を用いても良い。
【図面の簡単な説明】
【００２９】
【図１】この発明の第１の実施形態にかかる二重床上間仕切壁の固定構造の断面図である。
【図２】同固定構造に用いられる束状支持脚の斜視図である。
【図３】同固定構造に用いられる横荷重伝達・上方付勢部材の斜視図である。
【図４】同固定構造に用いられるランナーと、間仕切壁下端の横枠材および横荷重伝達・上方付勢部材の関係を示す説明図である。
【図５】同固定構造の施工手順を示す説明図である。
【図６】同固定構造におけるランナーと横荷重伝達・上方付勢部材の関係の他の例を示す斜視図である。
【図７】束状支持脚および横荷重伝達・上方付勢部材の変形例を示す斜視図である。
【図８】この発明のさらに他の実施形態にかかる二重床上間仕切壁の固定構造の断面図である。
【図９】壁勝ち納まりで二重床に間仕切壁を立てた施工例を示す断面図である。
【図１０】床勝ち納まりで二重床に間仕切壁を立てた施工例を示す断面図である。
【符号の説明】
【００３０】
１…束状支持脚
２…ランナー
３…横荷重伝達・上方付勢部材
１０…二重床
１１…下部床
１２…上部床
１４…間仕切壁
【図１】
2005171695.tif 000003
【図２】
2005171695.tif 000004
【図３】
2005171695.tif 000005
【図４】
2005171695.tif 000006
【図５】
2005171695.tif 000007
【図６】
2005171695.tif 000008
【図７】
2005171695.tif 000009
【図８】
2005171695.tif 000010
【図９】
2005171695.tif 000011
【図１０】
2005171695.tif 000012